(57)【要約】【課題】電線群の太さが違っても異なる成形型を起工する必要がなく、かつ、電線群への装着作業を容易化できる電線保護具を提供し、低コストのワイヤーハーネスを提供する。【解決手段】第１の分割筒状体１２および第２の分割筒状体１３をそれらの内奥面を対向させる姿勢で結合して筒状体１５を構成する電線保護具であって、内奥面対向方向で分割筒状体１２の一部を分割筒状体１３内に入り込ませており、分割筒状体１２が、分割筒状体１３内に挿入可能な一対の挿入壁２１、２２を有するとともに、分割筒状体１３が、一対の挿入壁２１、２２を保持する一対の保持壁３１、３２を有し、一対の挿入壁２１、２２と一対の保持壁３１、３２とが、筒状体１５の軸線方向に延在しつつ平行に並列する複数の凸部２１ａ、２２ａと、これらのうち任意の一列または他の列に対して内外方向に選択的に凹凸係合可能な複数の凹部３１ａ、３２ａとを有している。【選択図】図１
2016086517.tif 000002
【特許請求の範囲】
【請求項１】
それぞれ凹状の横断面を有する第１の分割筒状体および第２の分割筒状体を備え、前記第１の分割筒状体および前記第２の分割筒状体をそれらの内奥面を対向させる姿勢で結合して内部に複数の電線を収納可能な筒状体を構成する電線保護具であって、
前記第１の分割筒状体および前記第２の分割筒状体が、前記内奥面を対向させる方向で前記第１の分割筒状体の少なくとも一部を前記第２の分割筒状体内に入り込ませるように結合されており、
前記第１の分割筒状体が、前記第２の分割筒状体内に挿入可能な一対の挿入壁を有するとともに、前記第２の分割筒状体が、前記一対の挿入壁が入り込んだとき該一対の挿入壁を保持する一対の保持壁を有し、
前記一対の挿入壁と前記一対の保持壁とが、前記筒状体の軸線方向に延在するとともに互いに平行に並列する複数の凸部と、前記複数の凸部のうち任意の一列または他の列に対して前記内奥面を対向させる方向とは直交する内外方向に選択的に凹凸係合可能な複数の凹部とを有していることを特徴とする電線保護具。
【請求項２】
前記一対の挿入壁が、前記筒状体の軸線方向に連続して延びる複数の平行なリブによって構成される前記複数の凸部を有する一方、
前記一対の保持壁が、前記複数の平行なリブのうち任意の一つまたは複数に選択的に凹凸係合可能な溝状をなす前記複数の凹部を有していることを特徴とする請求項１に記載の電線保護具。
【請求項３】
前記第１の分割筒状体および前記第２の分割筒状体が、それぞれ不織布材料によって前記凹状の横断面を有する立体形状に熱成形された成形材であり、
前記複数の凸部と前記複数の凹部とが、前記予め設定された圧入側の嵌合代をもって前記凹凸係合の状態を保持可能に嵌合していることを特徴とする請求項１に記載の電線保護具。
【請求項４】
請求項１ないし請求項３のうちいずれか一項に記載の電線保護具を備えたワイヤーハーネスであって、
前記複数の電線を含む電線群に前記第１の分割筒状体および前記第２の分割筒状体を外装し、前記第１の分割筒状体および前記第２の分割筒状体の少なくとも両端部を結束または固着させて、前記筒状体を構成していることを特徴とするワイヤーハーネス。
【発明の詳細な説明】
【技術分野】
【０００１】
本発明は、電線保護具およびワイヤーハーネスに関し、特に不織布等の軽量かつ柔軟な素材で形成される電線保護具およびこれを備えたワイヤーハーネスに関する。
【背景技術】
【０００２】
自動車等の車両に搭載されるワイヤーハーネスにおいては、電線群の長さ方向の特定区間に保護材である電線保護具を外装する場合が多いが、従来、不織材料により多孔性の繊維集合体として形成することで保護機能や止水性等を高めた電線保護具がある。
【０００３】
この種の電線保護具およびワイヤーハーネスとして、例えば重量平均分子量を特定範囲に限定した熱成形性を有する不織布材料を用いて、ワイヤーハーネスの電線群を挟む一対の凹状の分割体を形成し、それらを一体に結合して、筒状の電線保護具としているものが知られている（例えば、特許文献１参照）。
【先行技術文献】
【特許文献】
【０００４】
【特許文献１】特開２０１３−１７５３８２号公報
【発明の概要】
【発明が解決しようとする課題】
【０００５】
しかしながら、上述のような従来の電線保護具およびワイヤーハーネスにあっては、ワイヤーハーネスの電線群の太さ（複数の電線の太さおよび本数）に応じて、その電線群に対応するサイズの電線保護具を立体形状に熱成形可能な成形型を起工していたため、その電線保護具の製造コストを低減させることができなかった。
【０００６】
また、上述のような従来の電線保護具およびワイヤーハーネスにあっては、ワイヤーハーネスの電線群を挟んで対向する電線保護具の一対の凹状の分割体を、それらの長さ方向に比較的狭い間隔を隔てる複数箇所でテープ止め（いわゆるピッチ止めテープ固定）する等して一体化する必要があり、ワイヤーハーネスへの電線保護具の装着作業にも手間がかかることになっていた。
【０００７】
よって、電線保護具の成形とそのワイヤーハーネスへの装着のコストを抑えることが容易でなく、ワイヤーハーネスのコスト高を招いてしまうという問題があった。
【０００８】
本発明は、このような従来の課題を解決するためになされたものであり、ワイヤーハーネスの電線群の太さが違っても異なる成形型を起工する必要がなく、かつ、電線群への装着作業を容易化できる電線保護具を提供し、併せて、低コストのワイヤーハーネスを提供することを目的とする。
【課題を解決するための手段】
【０００９】
本発明に係る電線保護具は、上記目的達成のため、それぞれ凹状の横断面を有する第１の分割筒状体および第２の分割筒状体を備え、前記第１の分割筒状体および前記第２の分割筒状体をそれらの内奥面を対向させる姿勢で結合して内部に複数の電線を収納可能な筒状体を構成する電線保護具であって、前記第１の分割筒状体および前記第２の分割筒状体が、前記内奥面を対向させる方向で前記第１の分割筒状体の少なくとも一部を前記第２の分割筒状体内に入り込ませるように結合されており、前記第１の分割筒状体が、前記第２の分割筒状体内に挿入可能な一対の挿入壁を有するとともに、前記第２の分割筒状体が、前記一対の挿入壁が入り込んだとき該一対の挿入壁を保持する一対の保持壁を有し、前記一対の挿入壁と前記一対の保持壁とが、前記筒状体の軸線方向に延在するとともに互いに平行に並列する複数の凸部と、前記複数の凸部のうち任意の一列または他の列に対して前記内奥面を対向させる方向とは直交する内外方向に選択的に凹凸係合可能な複数の凹部とを有している。
【００１０】
この構成により、本発明の電線保護具では、一対の挿入壁と一対の保持壁とが、それぞれ並列する複数の凸部と複数の凹部（内壁部分）とを凹凸係合させるので、複数の凸部の突出方向に高曲げ剛性に補強された筒状体を構成できるとともに、一対の挿入壁と一対の保持壁との結合も強化される。したがって、第１の分割筒状体および第２の分割筒状体がそれぞれ柔軟な素材で形成される場合であっても、それらの曲げ剛性および結合強度を高めて、両分割筒状体の結合箇所を減らすことができ、ワイヤーハーネスへの電線保護具の装着作業が容易化される。しかも、複数の凸部のうち任意の一列または他の列に対して複数の凹部を内外方向に選択的に凹凸係合させることができるので、ワイヤーハーネスの電線群の太さが違っても異なる成形型を起工したりすることなく、第１の分割筒状体および第２の分割筒状体を熱成形できる。
【００１１】
本発明の電線保護具においては、前記一対の挿入壁が、前記筒状体の軸線方向に連続して延びる複数の平行なリブによって構成される前記複数の凸部を有する一方、前記一対の保持壁が、前記複数の平行なリブのうち任意の一つまたは複数に選択的に凹凸係合可能な溝状をなす前記複数の凹部を有しているとよい。
【００１２】
このようにすると、第１の分割筒状体および第２の分割筒状体の曲げ剛性および結合強度をさらに高めることができる。しかも、第１の分割筒状体および第２の分割筒状体をそれらより長い素材に成形しておき、その素材から所定長さに切り出すことができ、長さの異なる電線保護具を容易に作製可能となる。
【００１３】
なお、複数の平行なリブあるいは複数の溝状の凹部を多数列に形成すれば、その多数列のうち第１の分割筒状体および第２の分割筒状体の結合側の端部の一列を削除するように第１の分割筒状体または第２の分割筒状体からそれより結合方向に小幅となる分割筒状体を作製することもでき、より多様な電線群の太さに対応可能となる。
【００１４】
本発明の電線保護具においては、前記第１の分割筒状体および前記第２の分割筒状体が、それぞれ不織布材料によって前記凹状の横断面を有する立体形状に熱成形された成形材であり、前記複数の凸部と前記複数の凹部とが、前記予め設定された圧入側の嵌合代をもって前記凹凸係合の状態を保持可能に嵌合していてもよい。
【００１５】
この場合、第１の分割筒状体および第２の分割筒状体の結合強度をさらに高め、筒状体の曲げ剛性をより高めることができる。
【００１６】
本発明に係るワイヤーハーネスは、上記いずれかの構成を有する電線保持具を備えたワイヤーハーネスであって、前記複数の電線を含む電線群に前記第１の分割筒状体および前記第２の分割筒状体を外装し、前記第１の分割筒状体および前記第２の分割筒状体の少なくとも両端部を結束または固着させて、前記筒状体を構成しているものである。
【００１７】
本発明のワイヤーハーネスにおいては、電線保護具の筒状体を構成する第１および第２の分割筒状体の曲げ剛性および結合強度を高めて、両分割筒状体の結合箇所を減らすことができ、ワイヤーハーネスへの電線保護具の装着作業を容易化できる。しかも、一対の挿入壁と一対の保持壁とが複数の凸部のうち任意の一列または他の列に対して複数の凹部を選択的に凹凸係合させ得る構成となっているので、電線群の太さが違っても異なる成形型を起工したりする必要が無い。その結果、低コストのワイヤーハーネスを製造できる。
【発明の効果】
【００１８】
本発明によれば、ワイヤーハーネスの電線群の太さが違っても異なる成形型を起工する必要がなく、かつ、電線群への装着作業を容易化できる電線保護具を提供することができ、併せて、低コストのワイヤーハーネスを提供することができる。
【図面の簡単な説明】
【００１９】
【図１】本発明の第１の実施の形態に係る電線保護具を備えたワイヤーハーネスの要部斜視図である。
【図２】第１の実施の形態に係る電線保護具における第１の分割筒状体と第２の分割筒状体との結合工程の説明図である。
【図３】第１の実施の形態に係る電線保護具における第１の分割筒状体と第２の分割筒状体との異なる複数の結合形態を示す説明図である。
【図４】（ａ）は、第１の実施の形態に係る電線保護具における第１の分割筒状体と第２の分割筒状体をそれらの結合方向の先端側で切断して結合した小サイズの結合形態の説明図であり、（ｂ）は、両分割筒状体を更に短く切断して小サイズに結合させた結合形態の説明図である。
【図５】（ａ）ないし（ｅ）は、本発明の第２ないし第６の実施の形態に係る電線保護具におけるそれぞれの第１の分割筒状体と第２の分割筒状体との凹凸係合部分の係合前後の状態を示す要部拡大断面である。
【図６】本発明の第７の実施の形態に係る電線保護具における第１の分割筒状体と第２の分割筒状体との結合工程を電線方向に見た正面図で示す説明図である。
【図７】第７の実施の形態に係る電線保護具における第１の分割筒状体と第２の分割筒状体との結合工程をこれらの外観斜視図で示す説明図である。
【図８】（ａ）および（ｂ）は、第７の実施の形態に係る電線保護具における第１の分割筒状体と第２の分割筒状体との異なる二つの結合形態を示す説明図である。
【図９】本発明の第８の実施の形態に係る電線保護具における第１の分割筒状体と第２の分割筒状体との異なる複数の結合形態の説明図である。
【図１０】本発明の第９の実施の形態に係る電線保護具における第１の分割筒状体とそれに対応する異種の第２の分割筒状体との複数の結合形態の説明図である。
【発明を実施するための形態】
【００２０】
以下、本発明を実施するための形態について図面を参照して説明する。
【００２１】
（第１の実施の形態）
図１ないし図４に本発明の第１の実施の形態に係る電線保護具を示している。
【００２２】
図１に示すように、本実施形態の電線保護具１０は、車両に搭載されるワイヤーハーネス１の主要部を構成する電線群Ｗを、その配索経路に沿った長さ方向の所定区間内で収納し保護するようになっている。
【００２３】
詳細を図示しないが、電線群Ｗは、例えば車両に搭載される電動のアクチュエータやセンサ、その他の機器への電力供給線や信号線、アース線等のいずれかを含む複数の電線によって構成されており、さらに光ファイバや細い配管等のような線材状のものを含んでいてもよい。また、電線群Ｗの各電線は、例えば良好な導電率を有する撚り線などの導体と、その導体を同心的に取り囲む電気絶縁性の被覆とを含んで構成されている。
【００２４】
電線保護具１０は、ワイヤーハーネス１の電線群Ｗの収納が可能な凹部１１を形成する略コの字形の凹状横形断を有する第１の分割筒状体１２と、凹部１１の開口側（図１中の右側）に開閉可能に配置された蓋状の第２の分割筒状体１３とを備えている。
【００２５】
図２および図３に示すように、第１の分割筒状体１２は、凹部１１の内幅である図２中の内側の高さｈ１より凹部１１の深さである図２中の左右方向の幅ｗ１が大きくなるように形成されており、凹部１１の深さ方向を車体パネル面に沿う方向として設置されるときに、その凹部１１によって扁平な電線収納空間１４を形成し得るようになっている。
【００２６】
第２の分割筒状体１３は、その内方に第１の分割筒状体１２の少なくとも一部を挿入可能な略コの字形断面の凹状を成しており、第１の分割筒状体１２の図１中の外側の高さｈ２と略等しいかその高さｈ２よりわずかに大きい内側の高さｈ３を有している。
【００２７】
これら第１の分割筒状体１２および第２の分割筒状体１３は、それぞれ不織材料を加熱および加圧する熱成形により凹状の横断面を有する立体形状に成形した多孔性の繊維集合体であり、軽量でかつそれらの開放端側の幅を作業者（ワイヤーハーネス１の電線群Ｗに電線保護具１０を組み付ける作業者）が容易に変化させ得る程度に柔軟なものである。
【００２８】
ここで、不織材料とは、不織布の材料となり得る繊維であり、多孔性の繊維集合体とは、その繊維が専らランダムに配向するとともに、融着、接着又は／及び交絡（絡み合わせ）によって繊維間が結合されたもので、紙や織物、編物等を除くものである。
【００２９】
また、その繊維の材料は、例えばＰＥＴ（ポリエチレンテレフタレート）により形成された基本繊維と、基本繊維の周囲にそれより十分に融点の低いよりバインダが配置されたバインダ繊維とを含むもの（例えば、特開２０１１−２４４６１４号公報参照）であるが、特に限定されるものではなく、任意の繊維材料でよい。さらに、繊維間の結合は、熱による融着の他、化学的な接着や繊維の絡み合わせ等を含み得る。ただし、第１の分割筒状体１２および第２の分割筒状体１３は、少なくともそれらの主要部分を熱成形用の成形型により所要の形状に成形したものである。
【００３０】
ところで、電線保護具１０においては、第１の分割筒状体１２および第２の分割筒状体１３をそれらの内奥面１２ａ、１３ａを対向させる姿勢で結合させ、電線収納空間１４に収納された電線群Ｗの特定区間を取り囲む略角筒状の扁平な筒状体１５を構成している。
【００３１】
この筒状体１５の軸方向の長さＬは、例えば図１中の左右方向の幅ｗ１と同等かそれ以上であるが、任意に設定できる。
【００３２】
例えば、第１の分割筒状体１２および第２の分割筒状体１３は、これらより長いそれぞれの長尺の分割筒状体素材（図示せず）から所定長さに切り出して作製されており、その切り出し長さを素材長さ（例えば数百ｍｍ）の範囲内で任意に設定することで、筒状体１５の軸方向の長さＬを任意に設定可能である。
【００３３】
前述のように、第１の分割筒状体１２および第２の分割筒状体１３は、それらの内奥面１２ａ、１３ａを互いに対向させる結合姿勢で、第１の分割筒状体１２の少なくとも一部を第２の分割筒状体１３内に入り込ませるように結合されている。
【００３４】
具体的には、第１の分割筒状体１２が、第２の分割筒状体１３内に挿入可能な一対の平行な挿入壁２１、２２を有するとともに、第２の分割筒状体１３が、一対の挿入壁２１、２２が入り込んだときにそれら一対の挿入壁２１、２２を保持する一対の平行な保持壁３１、３２を有している。
【００３５】
また、第１の分割筒状体１２の一対の挿入壁２１、２２と第２の分割筒状体１３の一対の保持壁３１、３２とは、筒状体１５の中心軸線と平行な軸線方向に延在するとともに互いに平行に並列する複数の凸部２１ａ、２２ａと、複数の凸部２１ａ、２２ａのうち任意の一列または他の列に対して、内奥面１２ａ、１３ａを対向させる図２中の左右方向とは直交する同図中の上下方向（内外方向）に選択的に凹凸係合可能な複数の凹部３１ａ、３２ａとを有している。ここにいう凹部３１ａは、一対のうち片方の保持壁３１から第２の分割筒状体１３の内方側に突出する一対の側壁面部３１ｂ、３１ｃによって形成されており、凹部３２ａは、一対のうち他の片方の保持壁３２から第２の分割筒状体１３の内方側に突出する一対の側壁面部３２ｂ、３２ｃによって形成されている。
【００３６】
より具体的には、一対の挿入壁２１、２２の複数の凸部２１ａ、２２ａは、筒状体１５の軸線方向に連続して延びる複数の平行な方形断面のリブ（突条）として構成されており、一対の保持壁３１、３２の複数の凹部３１ａ、３２ａは、複数の平行なリブである複数の凸部２１ａ、２２ａのうち任意の一つまたは複数のリブに選択的に凹凸係合可能な溝状をなしている。
【００３７】
また、これら複数の凸部２１ａ、２２ａと複数の凹部３１ａ、３２ａとは、予め設定された圧入側の嵌合代をもって凹凸係合の状態を保持可能に嵌合している。すなわち、凸部２１ａ、２２ａの外幅が凹部３１ａ、３２ａの内幅よりわずかに大きく設定されていることにより、凸部２１ａ、２２ａと凹部３１ａ、３２ａの両側壁面部分（符号なし）とが互いに繊維が絡み合う傾向に圧接する状態となって両者の凹凸係合状態が自己保持可能になっている。
【００３８】
第１の分割筒状体１２および第２の分割筒状体１３は、ワイヤーハーネス１の電線群Ｗを第１の分割筒状体１２の凹部１１内に予め収納するように第１の分割筒状体１２を電線群Ｗに外装した後、両者の結合方向における第２の分割筒状体１３の結合方向の先端側を高さｈ３相当の内幅を拡開させながら、第１の分割筒状体１２の先端部を第２の分割筒状体１３側に収納するように挿入して結合され、電線群Ｗに外装される。そして、第１の分割筒状体１２および第２の分割筒状体１３の少なくとも両端部を結束または固着させて、例えば両端部を粘着性の結束テープにより結束して、筒状体１５を形成することで、電線保護具１０が電線群Ｗに外装される。
【００３９】
ここにいう結束または固着は、第１の分割筒状体１２および第２の分割筒状体１３の間の化学的な接着や前記バインダの融点を超える熱による融着等といった固着、または、結束テープや結束バンドその他の結束具による外方からの結束等といった結束を含み、さらに、繊維の絡み合わせや縫い合わせのようなこれらの中間的な結合の態様を含むものである。
【００４０】
なお、第１の分割筒状体１２の一対の挿入壁２１、２２と第２の分割筒状体１３の一対の保持壁３１、３２とは、凸部２１ａ、２２ａおよび凹部３１ａ、３２ａの嵌合面付近における不織材料の繊維の圧縮率を他の部分より高めたり、凸部２１ａ、２２ａおよび凹部３１ａ、３２ａの嵌合面付近の剛性や摩擦を強めるように他の物質や繊維を含浸または付着させたりしたものであってもよい。
【００４１】
また、第１の分割筒状体１２および第２の分割筒状体１３は、複数の凸部２１ａ、２２ａおよび凹部３１ａ、３２ａに隣接する複数本のミシン目Ｓ１、Ｓ２のいずれかで先端側を容易に切断でき、より小サイズの電線保護具１０を構成できるようになっている。
【００４２】
次に、作用を説明する。
【００４３】
上述のように構成された本実施の形態の電線保護具１０およびこれを備えたワイヤーハーネス１においては、図１あるいは図３に示すように、一対の挿入壁２１、２２と一対の保持壁３１、３２とが、それぞれ並列する複数の凸部２１ａ、２２ａと複数の凹部３１ａ、３２ａの内壁部分（符号なし）とを凹凸係合させる。
【００４４】
したがって、複数の凸部２１ａ、２２ａの突出方向に高曲げ剛性に補強された筒状体１５を構成できるとともに、一対の挿入壁２１、２２と一対の保持壁３１、３２との結合も強化できる。
【００４５】
しかも、一対の挿入壁２１、２２および一対の保持壁３１、３２に複数の凸部２１ａ、２２ａと複数の凹部３１ａ、３２ａを形成する複数対の側壁面部３１ｂ、３１ｃ、３２ｂ、３２ｃとを有するので、第１の分割筒状体１２および第２の分割筒状体１３は、それぞれ柔軟な素材である不織材料で形成されるものでありながらも、それらの曲げ剛性および結合強度を高めることができ、両分割筒状体１２、１３の結合箇所を両端部付近のみに減らすことができる。よって、ワイヤーハーネス１への電線保護具１０の装着作業が容易化される。
【００４６】
しかも、複数の凸部２１ａ、２２ａのうち任意の一列または他の列に対して複数の凹部３１ａ、３２ａを筒状体１５の径方向となる内外方向に選択的に凹凸係合させることができるので、ワイヤーハーネス１の電線群の太さを規定する電線の太さや電線本数が違っても、異なる成形型を起工したりすることなく、第１の分割筒状体１２および第２の分割筒状体１３を多サイズに使用可能な汎用性の高い共用部品として熱成形できる。
【００４７】
また、本実施形態では、一対の挿入壁２１、２２の複数の凸部２１ａ、２２ａが、筒状体１５の軸線方向に連続して延びる複数の平行なリブによって構成される一方、一対の保持壁３１、３２の複数の凹部３１ａ、３２ａが、複数の平行なリブである複数の凸部２１ａ、２２ａのうち任意の一つまたは複数に選択的に凹凸係合可能な溝状をなしている。
【００４８】
したがって、第１の分割筒状体１２および第２の分割筒状体１３の曲げ剛性および結合強度をさらに高めることができる。しかも、第１の分割筒状体１２および第２の分割筒状体１３をそれらより長い素材に成形しておき、その素材から所定長さに切り出すことができ、長さの異なる電線保護具１０を容易に作製可能となる。
【００４９】
加えて、本実施形態では、複数の平行なリブ状の凸部２１ａ、２２ａあるいは複数の溝状の凹部３１ａ、３２ａを多数列に形成しているので、図４に示すように、その多数列のうち第１の分割筒状体１２および第２の分割筒状体１３の結合方向先端側の一列２１ｅ、２２ｅ、３１ｅ、３２ｅより先端側の部分を削除するようにして、第１の分割筒状体１２または第２の分割筒状体１３からそれより結合方向に小幅となる分割筒状体１２Ｓ、１３Ｓを作製して、より小径の筒状体１５Ｓを作製することもでき、より多様な電線群Ｗの太さに対応可能となる。
【００５０】
また、本実施形態においては、第１の分割筒状体１２および第２の分割筒状体１３における複数の凸部２１ａ、２２ａと複数の凹部３１ａ、３２ａとが、予め設定された圧入側の嵌合代をもって凹凸係合状態を保持可能に嵌合しているので、第１の分割筒状体１２および第２の分割筒状体１３の結合強度をさらに高めるとともに、筒状体１５の曲げ剛性を十分に高めることができる。
【００５１】
さらに、本実施形態のワイヤーハーネス１においては、電線保護具１０の筒状体１５を構成する第１および第２の分割筒状体１２、１３の曲げ剛性および結合強度を高めて、両分割筒状体１２、１３の結合箇所を減らすことができ、ワイヤーハーネス１への電線保護具１０の装着作業を容易化できる。しかも、一対の挿入壁２１、２２と一対の保持壁３１、３２とが複数の凸部２１ａ、２２ａのうち任意の一列または他の列に対して複数の凹部３１ａ、３２ａを選択的に凹凸係合させ得る構成となっているので、電線群Ｗの太さが違っても異なる成形型を起工したりする必要が無い。その結果、低コストのワイヤーハーネス１を製造できる。
【００５２】
このように、本実施形態においては、ワイヤーハーネス１の電線群Ｗの太さが違っても異なる成形型を起工したりすることなく第１の分割筒状体１２および第２の分割筒状体１３を成形でき、ワイヤーハーネス１への装着作業も容易化できる電線保護具１０を提供し、併せて、低コストのワイヤーハーネス１を提供することができる。
【００５３】
（第２の実施の形態）
図５（ａ）は、本発明の第２の実施の形態に係る電線保護具におけるそれぞれの第１の分割筒状体と第２の分割筒状体との凹凸係合部分の係合前後の状態を示している。
【００５４】
なお、以下に説明する各実施の形態は、上述の第１の実施の形態とは構成の一部が相違するものの、他の主要な構成については第１の実施の形態と同一または類似である。したがって、以下、第１の実施の形態と同一または類似する構成については図１ないし図４に示した第１の実施の形態中の対応する構成要素の符号を用いつつ、第１の実施の形態との相違点について説明する。
【００５５】
図５（ａ）に示すように、本実施の形態においては、第１の分割筒状体１２の一対の挿入壁２１、２２が、筒状体１５の中心軸線と平行な軸線方向に延在するとともに互いに平行に並列する複数の凸部２１ａ、２２ａを有しており、これら複数の凸部２１ａ、２２ａは、先端部が拡幅した略Ｔ字形の横断面を有している。
【００５６】
また、第２の分割筒状体１３の一対の保持壁３１、３２は、複数の凸部２１ａ、２２ａのうち任意の一列または他の列に対して、図５（ａ）中の上下方向（内外方向）に選択的に凹凸係合可能な複数の略逆Ｔ字形横断面の凹部３１ａ、３２ａを有している。そして、これら凹部３１ａ、３２ａを形成する各一対の側壁面部３１ｂ、３１ｃ、３２ｂ、３２ｃは、それぞれの先端部を互いに接近させつつ対向させる鉤型に形成されている。
【００５７】
なお、各凸部２１ａ、２２ａを対応する凹部３１ａまたは３２ａ内に嵌め込む際には、各凸部２１ａ、２２ａの先端側の拡幅部分および各一対の側壁面部３１ｂ、３１ｃまたは３２ｂ、３２ｃを部分的に撓ませながら容易に凹凸係合させることができる。一方、その凹凸係合後は、凸部２１ａ、２２ａと各一対の側壁面部３１ｂ、３１ｃ、３２ｂ、３２ｃが長さ方向の略全域で抜け止め形状に凹凸係合しているので、その凹凸係合が解け難い。
【００５８】
本実施形態においても、第１の実施の形態と同様の効果を得ることができる。しかも、本実施形態では、第１の分割筒状体１２の一対の挿入壁２１、２２と第２の分割筒状体１３の一対の保持壁３１、３２の凹凸係合を外れ難くでき、それらの結合強度をさらに高めることができる。
【００５９】
（第３の実施の形態）
図５（ｂ）は、本発明の第３の実施の形態に係る電線保護具におけるそれぞれの第１の分割筒状体と第２の分割筒状体との凹凸係合部分の係合前後の状態を示している。
【００６０】
図５（ｂ）に示すように、本実施の形態においては、第１の分割筒状体１２の一対の挿入壁２１、２２が、筒状体１５の中心軸線と平行な軸線方向に延在するとともに互いに平行に並列する複数の凸部２１ａ、２２ａを有しており、これら複数の凸部２１ａ、２２ａは、先端部が拡幅した略逆Ｌ字形の横断面を有している。
【００６１】
また、第２の分割筒状体１３の一対の保持壁３１、３２は、第２の実施の形態と同様な複数の略逆Ｔ字形横断面の凹部３１ａ、３２ａと、これら凹部３１ａ、３２ａを形成する各一対の側壁面部３１ｂ、３１ｃ、３２ｂ、３２ｃとを有している。
【００６２】
本実施形態においても、第１の実施の形態と同様の効果を得ることができ、さらに、第２の実施の形態と同様に、第１の分割筒状体１２の一対の挿入壁２１、２２と第２の分割筒状体１３の一対の保持壁３１、３２の凹凸係合を外れ難くでき、それらの結合強度をさらに高めることができる。
【００６３】
（第４ないし第６の実施の形態）
図５（ｃ）ないし図５（ｅ）は、本発明の第４ないし第６の実施の形態に係る電線保護具におけるそれぞれの第１および第２の分割筒状体の凹凸係合部分を示している。
【００６４】
図５（ｃ）に示す第４の実施の形態においては、複数の凸部２１ａ、２２ａの先端部が略楕円形に拡幅された横断面を有しており、第２の分割筒状体１３の一対の保持壁３１、３２は、それぞれ内奥側が略楕円形に拡幅された略逆Ｔ字形横断面の凹部３１ａ、３２ａと、これら凹部３１ａ、３２ａを形成する各一対の側壁面部３１ｂ、３１ｃ、３２ｂ、３２ｃとを有している。
【００６５】
図５（ｄ）に示す第５の実施の形態においては、複数の凸部２１ａ、２２ａの先端部が略半円形に拡幅された横断面を有しており、第２の分割筒状体１３の一対の保持壁３１、３２は、それぞれ内奥側が略半円形に拡幅された略逆Ｔ字形横断面の凹部３１ａ、３２ａと、これら凹部３１ａ、３２ａを形成する各一対の鉤型の側壁面部３１ｂ、３１ｃ、３２ｂ、３２ｃとを有している。
【００６６】
図５（ｅ）に示す第６の実施の形態においては、複数の凸部２１ａ、２２ａの先端部が略三角形に拡幅された横断面を有しており、第２の分割筒状体１３の一対の保持壁３１、３２は、それぞれ内奥側が略三角形に拡幅された矢先形横断面の凹部３１ａ、３２ａと、これら凹部３１ａ、３２ａを形成する各一対の鉤型の側壁面部３１ｂ、３１ｃ、３２ｂ、３２ｃとを有している。
【００６７】
これらの実施の形態においても、第１の実施の形態と同様の効果を得ることができ、さらに、第２の実施の形態と同様に、第１の分割筒状体１２の一対の挿入壁２１、２２と第２の分割筒状体１３の一対の保持壁３１、３２の凹凸係合を外れ難くでき、それらの結合強度をさらに高めることができる。
【００６８】
（第７の実施の形態）
図６ないし図８は、本発明の第７の実施の形態に係る電線保護具を示している。
【００６９】
図６ないし図８に示すように、本実施の形態における電線保護具４０は、凹部４１を有する第１の分割筒状体４２と蓋状の第２の分割筒状体４３とをそれらの内奥面４２ａ、４３ａを対向させる姿勢で結合して、内部に電線群Ｗを収納可能な電線収納空間４４を形成する略角筒状の扁平な筒状体４５を構成している。
【００７０】
また、第１の分割筒状体４２の一対の挿入壁５１、５２と第２の分割筒状体４３の一対の保持壁６１、６２とは、筒状体４５の中心軸線と平行な軸線方向に延在するとともに互いに平行に並列する複数の凸部５１ａ、５１ｂ、５２ａ、５２ｂと、複数の凸部５１ａ、５１ｂ、５２ａ、５２ｂのうち任意の一列または他の列に対して、図６中の左右方向（結合方向）とは直交する同図中の上下方向（内外方向）に選択的に凹凸係合可能な複数の凹部６１ａ、６１ｂ、６２ａ、６２ｂおよびこれらを結合する結合方向凹部６１ｅ、６２ｅとを有している。
【００７１】
一対の挿入壁５１、５２の複数の凸部５１ａ、５１ｂ、５２ａ、５２ｂは、筒状体４５の軸線方向に連続して延びる複数の平行な方形断面のリブ（突条）として構成されており、一対の保持壁６１、６２の複数の凹部６１ａ、６１ｂ、６２ａ、６２ｂは、複数の平行なリブである複数の凸部５１ａ、５１ｂ、５２ａ、５２ｂのうち任意の内外一対または複数対のリブに選択的に凹凸係合可能な溝状をなしている。
【００７２】
なお、第２の分割筒状体４３は、互いに嵌合する内外の略コの字形横断面の分割筒状体部材４６、４７にそれぞれ複数の凹部６１ａ、６１ｂ、６２ａ、６２ｂの内外半部を形成しつつ、分割筒状体部材４６、４７を予め個別に熱成形した後、それら分割筒状体部材４６、４７の中間部４６ａ、４７ａ同士を接着、固着、交絡あるいは縫い付けのいずれかで結合させることで、複数の凹部６１ａ、６１ｂ、６２ａ、６２ｂを有する最終形状にしたものである。
【００７３】
本実施形態においても、第１の分割筒状体４２および第２の分割筒状体４３は、それぞれ不織材料を熱成形した多孔性の繊維集合体であり、軽量でかつそれらの開放端側の幅を作業者が容易に変化させ得る程度に柔軟なものである。よって、一対の保持壁６１、６２の結合方向凹部６１ｅ、６２ｅを開口端側でそれぞれ拡開させることができ、図７に示すように、第１の分割筒状体４２を第２の分割筒状体４３内に入り込ませるように押し込むことができる。
【００７４】
本実施形態においても、ワイヤーハーネス１の電線群Ｗの太さが違っても異なる成形型を起工したりすることなく第１の分割筒状体４２および第２の分割筒状体４３を成形でき、ワイヤーハーネス１への装着作業も容易化できる電線保護具４０を提供し、併せて、低コストのワイヤーハーネス１を提供することができる。
【００７５】
しかも、本実施形態では、第１の分割筒状体４２の一対の挿入壁５１、５２と第２の分割筒状体４３の一対の保持壁６１、６２との凹凸係合箇所が多くなるので、それらの結合強度を十分に高めることができる。
【００７６】
（第８の実施の形態）
図９は、本発明の第８の実施の形態に係る電線保護具を示している。
【００７７】
図９に示すように、本実施の形態における電線保護具７０は、凹部７１を有する第１の分割筒状体７２と蓋状の第２の分割筒状体７３とをそれらの内奥面７２ａ、７３ａを対向させる姿勢で結合して、内部に電線群Ｗを収納可能な電線収納空間７４を形成する略角筒状の筒状体７５を構成している。
【００７８】
第１の分割筒状体７２の一対のうち片方の挿入壁８１は、筒状体７５の中心軸線と平行な軸線方向に延在するとともに互いに平行に並列する複数の凸部８１ａを有しており、第１の分割筒状体７２の一対のうち他の片方の挿入壁８２は、筒状体７５の中心軸線と平行な軸線方向に延在するとともに互いに平行に並列する複数の凹部８２ａ、８２ｂおよびこれらを結合する結合方向凹部８２ｅとを有している。
【００７９】
また、第２の分割筒状体７３の一対のうち片方の保持壁９１は、筒状体７５の中心軸線と平行な軸線方向に延在するとともに互いに平行に並列する複数の凹部９１ａおよびそれらの両側壁部９１ｂ、９１ｃと、第２の分割筒状体７３の一対のうち他の片方の保持壁９２は、筒状体７５の中心軸線と平行な軸線方向に延在するとともに互いに平行に並列する複数の凸部９２ａを有している。
【００８０】
そして、第２の分割筒状体７３の片方の保持壁９１に形成された複数の凹部９１ａと他の片方の保持壁９２に形成された複数の凸部９２ａとが、第１の分割筒状体７２の片方の挿入壁８１に形成された複数の凸部８１ａと他の片方の挿入壁８２に形成された複数の凹部８２ａ、８２ｂとのうち任意の一列または他の列に対して、図９に実線および仮想線で異なる結合形態を示すように選択的に、内奥面７２ａ、７３ａを対向させる図９中の左右方向とは直交する同図中の上下方向（内外方向）に凹凸係合可能になっている。
【００８１】
本実施形態においても、ワイヤーハーネス１の電線群Ｗの太さが違っても異なる成形型を起工したりすることなく第１の分割筒状体７２および第２の分割筒状体７３を成形でき、ワイヤーハーネス１への装着作業も容易化できる電線保護具７０を提供し、併せて、低コストのワイヤーハーネス１を提供することができる。
【００８２】
しかも、本実施形態では、車体パネル側となる一面側と他面側とで第１の分割筒状体７２の一対の挿入壁８１、８２と第２の分割筒状体７３の一対の保持壁９１、９２との凹凸係合の強度を相違させることができ、それらの結合の作業性と結合強度を共に高めることができる。
【００８３】
（第９の実施の形態）
図１０は、本発明の第９の実施の形態に係る電線保護具を示している。
【００８４】
図１０に示すように、本実施の形態における電線保護具１００は、第１の実施の形態における第１の分割筒状体１２（結合方向の先端部を切断したもの）と、蓋状の第２の分割筒状体１０３とをそれらの内奥面１２ａ、１０３ａを対向させる姿勢で結合して、内部に電線群Ｗを収納可能な電線収納空間１０４を形成する略角筒状の筒状体１０５を構成している。
【００８５】
ここで、第２の分割筒状体１０３は、略コの字形の横断面を有するとともに、一対の平行な保持壁１１１、１１２の先端部１１１ａ、１１２ａが互いに接近しつつ鉤状をなすように内方側に屈曲した形状を有している。また、第２の分割筒状体１０３は、一対の保持壁１１１、１１２の先端部１１１ａ、１１２ａと中間の内壁部１０３ｂとを両側壁とする凹部１１１ｂ、１１２ｂを形成している。
【００８６】
そして、第２の分割筒状体１０３は、その一対の保持壁１１１、１１２の先端部１１１ａ、１１２ａを、第１の分割筒状体１２の一対の挿入壁２１、２２に形成された複数の凸部２１ａ、２２ａのうち図１０（ａ）中で右側の一列の側面に係合させながら、第１の分割筒状体１２に対して同図中の上下方向（内外方向）に凹凸係合している。
【００８７】
本実施形態においては、第1の実施の形態の第１の分割筒状体１２の結合方向先端側の一列２１ｅ、２２ｅをさらに切断して複数の凸部２１ａ、２２ａを一つずつ有する1列のみにして最小サイズにすることも可能である。
【００８８】
本実施形態においても、ワイヤーハーネス１の電線群Ｗの太さが違っても異なる成形型を起工したりすることなく第１の分割筒状体１２および第２の分割筒状体１０３を成形でき、ワイヤーハーネス１への装着作業も容易化できる電線保護具１００を提供し、併せて、低コストのワイヤーハーネス１を提供することができる。
【００８９】
しかも、本実施形態では、電線保護具１００をより軽量化できる。
【００９０】
なお、上述の各実施の形態においては、第１の分割筒状体１２、４２、７２および第２の分割筒状体１３、４３、７３等を、それぞれ凹部１１の内奥側に屈曲部を有する略コの字形の横断面形状を有する不織材料製の繊維集合体としていたが、凹部１１の内奥側に湾曲部を有する略Ｕ字形の横断面形状を有するものであってもよく、不織材料以外の柔軟な素材で形成されるものであってもよい。すなわち、各実施形態のように不織材料製の繊維集合体とすれば、止水性や通気性を確保することができるが、そのような機能が必要でなければ、他の素材で形成してもよい。また、第１の分割筒状体１２、４２、７２および第２の分割筒状体１３、４３、７３等の凹凸係合部分は、複数の凹部および複数の凸部の配置を逆にしたものであってもよい。
【００９１】
第１の分割筒状体１２、４２、７２および第２の分割筒状体１３、４３、７３等を、比較的硬質の素材で形成することも考えられる。ただし、その場合、両分割筒状体１２、４２、７２および１３、４３、７３等を凹凸係合させる際に電線群Ｗの長さ方向に差し込む作業が必要になる。そのため、本発明では、両分割筒状体を電線群Ｗの長さ方向に差し込む必要がない程度の柔軟な素材で形成するのがよく、そのような場合に、リブにより両分割筒状体の補強と結合強化を図る本発明は効果的である。図２中の複数のミシン目Ｓ１、Ｓ２の位置に、ミシン目に代わるまたはミシン目に加えて切断案内線を記したり浅い切込みを形成したりすることも考えられる。
【００９２】
以上説明したように、本発明は、ワイヤーハーネスの電線群の太さが違っても異なる成形型を起工する必要がなく、かつ、電線群への装着作業を容易化できる電線保護具を提供し、併せて、低コストのワイヤーハーネスを提供することができるものである。かかる本発明は、不織布等の軽量かつ柔軟な素材で形成される電線保護具およびこれを備えたワイヤーハーネス全般に有用である。
【符号の説明】
【００９３】
１  ワイヤーハーネス
１０、４０、７０、１００  電線保護具
１１、４１、７１  凹部
１２、１２Ｓ、４２、７２  第１の分割筒状体
１２ａ、１３ａ、４２ａ、４３ａ、７２ａ、７３ａ  内奥面
１３、１３Ｓ、４３、７３、１０３  第２の分割筒状体
１４、４４、７４、１０４  電線収納空間
１５、１５Ｓ、４５、７５、１０５  筒状体
２１、２２、５１、５２、８１、８２  挿入壁
２１ａ、２２ａ、５１ａ、５１ｂ、５２ａ、５２ｂ  凸部
２１ｅ、２２ｅ、３１ｅ、３２ｅ  結合方向先端側の一列
３１、３２、６１、６２、９１、９２  保持壁
３１ａ、３２ａ、６１ａ、６１ｂ、６２ａ、６２ｂ  凹部
３１ｂ、３１ｃ、３２ｂ、３２ｃ  側壁面部
４６、４７  分割筒状体部材
４６ａ、４７ａ  中間部
６１ａ、６１ｂ、６２ａ、６２ｂ  凹部
６１ｅ、６２ｅ  結合方向凹部
８１ａ  凸部
８２ａ、８２ｂ  凹部
８２ｅ  結合方向凹部
９１ａ  凹部
９１ｂ、９１ｃ  側壁部
９２ａ  凸部
１０３ａ  内奥面
１０３ｂ  中間の内壁部
１１１、１１２  保持壁
１１１ａ、１１２ａ  先端部
１１１ｂ、１１２ｂ  凹部
ｈ１  内側の高さ（凹部の内幅）
ｈ２  外側の高さ
ｈ３  内側の高さ
Ｓ１、Ｓ２  ミシン目
Ｗ  電線群
ｗ１  幅（凹部の深さ）
【図１】
2016086517.tif 000003
【図２】
2016086517.tif 000004
【図３】
2016086517.tif 000005
【図４】
2016086517.tif 000006
【図５】
2016086517.tif 000007
【図６】
2016086517.tif 000008
【図７】
2016086517.tif 000009
【図８】
2016086517.tif 000010
【図９】
2016086517.tif 000011
【図１０】
2016086517.tif 000012